(57)【特許請求の範囲】
【請求項１】
各ペットの成育或いは病気に対応した粒子状に加工した栄養素及び薬剤と、粒状に乾燥加工した飼料とを配合して供給するシステムであって、
ペット飼主が利用するパソコン或いは携帯電話機である飼主の端末機と、
紹介された動物病院或いは飼主がペットのために通院している動物病院のコンピュータと、
前記栄養素及び薬剤と飼料を配合する配合装置と、
前記飼主の端末機よりインターネットを経由して配合飼料の供給申込を受信し、申込入力画面を送信する飼料申込受付手段と、
その飼主の端末機から前記申込入力画面にデータ入力された画面を受信し、データベースに記録すると共に、前記通院している動物病院が有る場合に、その入力データ欄に記載された病院のコンピュータへ飼料に配合したい栄養素及び／又は薬剤添加処方データの所定フォーマットの処方箋入力画面を送信する処方箋要請送信手段と、
通院している動物病院が無い場合に、前記申込入力画面で紹介した複数の動物病院の一つを選択した病院のコンピュータへ、ペット飼主を紹介する紹介状画面と、その飼主とペットが来院した時に入力してもらいたい前記所定フォーマットの処方箋入力画面を送信する飼主紹介／処方箋依頼送信手段と、
前記通院或いは紹介の病院から前記所定フォーマット画面データ入力の処方箋画面を受信した時は、その処方箋の予め定めた位置の各項目欄の選択チェック印を読み取り、飼料に配合すべき栄養素及び／又は薬剤の種類と量に関するデータをデータ値にしてデータベースに記録すると共に、そのデータ値をＬＡＮ回線を介して、前記配合装置へ送信し、そのデータ値に基づいて配合飼料を製造させる処方箋配合飼料データ送信手段とを少なくとも備える個別処方制御コンピュータ装置とから構成されることを特徴とする個別配合ペット飼料供給システム。
【請求項２】
前記配合装置は、回転櫛羽根を回転反転させて混合する混合機構部と、その上部に設けた飼料投入口へ前記処方箋に基づいて記録したデータベースにある指定した飼料を電子制御により選択して投入するための各種飼料収納器と、前記混合機構部へ前記栄養素及び薬剤を回転らせん羽根或いは押出しプランジャーにより移送させる移送機構部と、
その上部に設けた投入口へ前記データベースに記録され指定した栄養素及び／或いは薬剤を電子制御により選択して投入するための各種栄養素及び薬剤収納器と、から構成されることを特徴とする請求項１記載の個別配合ペット飼料供給システム。
【請求項３】
前記各種飼料収納器は、前記飼料が複数種類に分類されて収納され、各収納部にはそれぞれその底面から所定位置に、所定量の飼料を分離するため、各収納部毎に電子制御で仕切板を挿入自在にスライドさせる機構と、分離された飼料をその収納部内から外部へ排出させるため、各収納部毎に電子制御でらせん羽根を回転させる移送機構とを備え、
前記各種栄養素及び薬剤収納器は、複数種類に分類されて収納され、各収納部には、それぞれ、その底面から所定位置に所定量の栄養素或いは薬剤を分離するため、各収納部毎に電子制御で仕切板を挿入自在に移動させるスライド機構と、分離された栄養素或いは薬剤をその収納部内から外へ排出させるため、各収納部毎に電子制御でらせん羽根を回転させる移送機構とを備え、
前記混合機構、移送機構の回転電子制御端子と、栄養素及び薬剤と飼料の各収納器の各収納部毎の電子制御スライド機構及び移送機構の電子制御端子と、前記個別処方制御コンピュータ装置のインターフェース回路とを接続し、その管理コンピュータからの処方箋データにより制御されて自動的に指定された配合飼料が生成されることを特徴とする請求項２記載の個別配合ペット飼料供給システム。
【請求項４】
薬剤添加処方データの所定フォーマットは、動物の虹彩の状態と運動機能を撮影するカメラシステムの映像データを記録添付する項目を備え、前記動物病院に備えた虹彩撮影カメラシステムの出力データを入力して送信し、受信した前記個別処方管理コンピュータに備えた虹彩情報診断手段により、ペット個別の状態或いは症状応じた栄養素及び或いは薬剤の処方を自動選択して前記データベースに記録することを特徴とする請求項１記載の個別配合ペット飼料供給システム。
【請求項５】
薬剤添加処方データの所定フォーマットは、動物の血液検査データを記録する項目を備え、動物病院で入力された血液検査結果データを送信し、受信した前記個別処方管理コンピュータに備えた血液検査情報診断手段により、ペット個別の状態或いは症状応じた栄養素及び或いは薬剤の処方を自動選択して前記データベースに記録することを特徴とする請求項１記載の個別配合ペット飼料供給システム。
【発明の詳細な説明】
【技術分野】
【０００１】
本発明は、ペット飼主からのインターネットを介する申し込みを受付けて、インターネットを介して動物病院の診断結果によるペットの生育或いは病気に対応した栄養素、薬剤の処方箋データを受け、そのデータを混合装置へ入力して栄養素或いは薬剤を飼料に添加した配合飼料を自動的に生成させる個別配合ペット飼料供給システムに関する。
【背景技術】
【０００２】
従来、ペット飼料については、その餌に種々の添加物を加えて調合し、ペットフードとして提供されていた。【０００３】
その飼料選択に際しては、例えばペットの種類、活動レベルと、医療履歴、品種、性別、年齢等など、多くの項目に関する考慮を行い、一方飼料添加物の選択に際しては、例えば、肉汁、ソース、コーティング、ビタミン剤等の栄養素、或いは薬剤などの多くの添加剤に考慮を行って作成・調合していた。【０００４】
特許文献１には、以上の考慮事項についてカスタマイズして提供することが開示されている。【０００５】
しかしながら、個別的に各ペットの健康状態や病状に対応して調合した飼料(ペットフード)を、診断に基づく処方箋で自動的に生成する装置については、殆ど記載されていなかった。【０００６】
それらが開示されない理由は、その飼料と添加物の調合は、非常に多種類になることから、それらの選択は総て手作業で行い、その後、その選択した飼料と添加物を調合機或いは混合機構を操作して調合飼料としていた。すなわち、手作業による非効率な作業であった。【０００７】
【特許文献１】特開２００４−５２９６５８号公報（第２、３、４頁、第１図）
【図面の簡単な説明】
【０００８】
【図１】本発明の個別配合ペット飼料供給システムの構成図である。
【図２】本発明の粒子状栄養素及び薬剤と粒子状飼料との配合装置の構造の概要を示す斜視図である。
【図３】本発明の粒子状栄養素及び薬剤と粒子状飼料との配合装置の構造を示し、（ａ）は平面図、（ｂ）はＸ−Ｘ断面図、（ｃ）はＹ−Ｙ断面図である。なお、仕切板１ｘａ、１０ｘａを開いて内容物をらせん羽根の底面まで落下させてから、仕切板を閉じ、次に、１０ｎ、１００ｎのモータを正回転させそれぞれ２０、１２０へ押出し、次に１２０の内容物を２０へ押出し混合させる。
【図４】電子制御移送用モータ部のらせん羽根と分離室の詳細構造を示す図で、（ａ）は図３のＹ−Ｙ、Ｘ−Ｘ断面図、（ｂ）は（ａ）のＺ−Ｚ断面図である。
【符号の説明】
【０００９】
１    利用者のパソコン、飼主の端末機
２    利用者の携帯電話機、飼主の端末機
３    動物病院のコンピュータ
４    個別処方制御コンピュータ装置
４ａ  Ｗｅｂサーバ
４ｂ  アプリケーションサーバ
４ｃ  データベースサーバ
４ｄ  管理用端末機
４ｅ  配合装置との（Ａ／Ｄ、Ｄ／Ａを含む）インターフェース回路
４ｇ  飼料申込受付手段
４ｈ  処方箋電話送信手段
４ｉ  飼主紹介／処方箋依頼送信手段
４ｊ  処方箋配合飼料データ送信手段
４ｋ  配合飼料完了通知手段
４ｌ  虹彩情報診断手段
４ｍ  血液検査情報診断手段
４Ｐ  利用者会員データベース
４Ｑ  動物病院会員データベース
４Ｒ  各種入力画面データベース
４Ｓ  各種診断データ処方データベース
５    配合装置
１０    各種飼料収納器
１ｘ（１１〜１４）  収納部
１ｘａ（１１ａ〜１４ａ）  仕切板
１ｘｂ（１１ｂ〜１４ｂ）  排出パイプ
１ｘｃ    らせん羽根
１ｘｎ    電子制御スライドモータ
１ｘｍ    電子制御移送用モータ
１ｘｓ    センサー
１ｘｐ  分離室
２０    混合機構
２０ａ  櫛羽根
２０ｍ  電子制御（串羽根）回転モータ
２０ｔ  投入口
２０ｘ  電子制御端子
２０ｚ  排出口
３０    配合飼料袋
１００    各種栄養素及び薬剤収納器
１０ｘ（１０１〜１１７）  収納部
１０ｘａ（１０１ａ〜１１７ａ）  仕切板
１０ｘｂ（１０１ｂ〜１１７ｂ）  排出パイプ
１０ｘｃ  らせん羽根
１０ｘｍ  電子制御移送用モータ
１０ｘｎ  電子制御スライドモータ
１２０    移送機構
１２０ａ  らせん羽根
１２０ｍ  電子制御（らせん羽根）回転モータ
１２０ｔ  投入口
１２０ｘ  電子制御端子
１２０ｚ  排出口
Ｌ      スライドレール
【発明の開示】
【発明が解決しようとする課題】
【００１０】
本発明は、前述した問題点に鑑みてなされたものであり、ペットの健康状態・病状・年齢・ペットの種類などの状況に対応した処方箋を動物病院から受けて、処方箋データの飼料と、栄養素及び薬剤などの配合飼料を配合装置により自動的に生成する、ペット飼主が利用し易く且つそれら配合飼料も効率的に生成できるシステムを提供することを目的とする。
【課題を解決するための手段】
【００１１】
上記目的を達成するため、本発明の個別配合ペット飼料供給システムは、各ペットの成育或いは病気に対応した粒子状に加工した栄養素及び薬剤と、粒状に乾燥加工した飼料とを配合して供給するシステムであって；ペット飼主が利用するパソコン或いは携帯電話機である飼主の端末機と；紹介された動物病院或いは飼主がペットのために通院している動物病院のコンピュータと；栄養素及び薬剤と飼料を配合する配合装置と；飼主の端末機よりインターネットを経由して配合飼料の供給申込を受信し、申込入力画面を送信する飼料申込受付手段と；その飼主の端末機から前記申込入力画面にデータ入力された画面を受信し、データベースに記録すると共に、通院している動物病院が有る場合に、その入力データ欄に記載された病院のコンピュータへ飼料に配合したい栄養素及び／又は薬剤添加処方データの所定フォーマットの処方箋入力画面を送信する処方箋要請送信手段と；通院している動物病院が無い場合に、前記申込入力画面で紹介した複数の動物病院の一つを選択した病院のコンピュータへ、ペット飼主を紹介する紹介状画面と、その飼主とペットが来院した時に入力してもらいたい前記所定フォーマットの処方箋入力画面を送信する飼主紹介／処方箋依頼送信手段と；前記通院或いは紹介の病院から前記所定フォーマット画面データ入力の処方箋画面を受信した時は、その処方箋の予め定めた位置の各項目欄の選択チェック印を読み取り、飼料に配合すべき栄養素及び／又は薬剤の種類と量に関するデータをデータ値にしてデータベースに記録すると共に、そのデータ値をＬＡＮ回線を介して、前記配合装置へ送信し、そのデータ値に基づいて配合飼料を製造させる処方箋配合飼料データ送信手段とを少なくとも備える個別処方制御コンピュータ装置とから構成されることを特徴とする。【００１２】
このような個別配合ペット飼料供給システムにおいて、配合装置は、回転櫛羽根を回転反転させて混合する混合機構部と、その上部に設けた飼料投入口へ前記処方箋に基づいて記録したデータベースにある指定した飼料を電子制御により選択して投入するための各種飼料収納器と、前記混合機構部へ前記栄養素及び薬剤を回転らせん羽根或いは押出しプランジャーにより移送させる移送機構部と；その上部に設けた投入口へ前記データベースに記録され指定した栄養素及び／或いは薬剤を電子制御により選択して投入するための各種栄養素及び薬剤収納器と、から構成されることが好ましい。【００１３】
また、各種飼料収納器は、前記飼料が複数種類に分類されて収納され、各収納部にはそれぞれその底面から所定位置に、所定量の飼料を分離するため、各収納部毎に電子制御で仕切板を挿入自在にスライドさせる機構と、分離された飼料をその収納部内から外部へ排出させるため、各収納部毎に電子制御でらせん羽根を回転させる移送機構とを備え；前記各種栄養素及び薬剤収納器は、複数種類に分類されて収納され、各収納部にはそれぞれ、その底面から所定位置に所定量の栄養素或いは薬剤を分離するため、各収納部毎に電子制御で仕切板を挿入自在に移動させるスライド機構と、分離された栄養素或いは薬剤をその収納部内から外へ排出させるため、各収納部毎に電子制御でらせん羽根を回転させる移送機構とを備え；前記混合機構、移送機構の回転電子制御端子と、栄養素及び薬剤と飼料の各収納器の各収納部毎の電子制御スライド機構及び移送機構の電子制御端子と、前記個別処方制御コンピュータ装置のインターフェース回路とを接続し、その管理コンピュータからの処方箋データにより制御されて自動的に指定された配合飼料が生成されることが好適である。【００１４】
また、薬剤添加処方データの所定フォーマットは、動物の虹彩の状態と運動機能を撮影するカメラシステムの映像データを記録添付する項目を備え、前記動物病院に備えた虹彩撮影カメラシステムの出力データを入力して送信し、受信した前記個別処方管理コンピュータに備えた虹彩情報診断手段により、ペット個別の状態或いは症状応じた栄養素及び或いは薬剤の処方を自動選択して前記データベースに記録することが好ましい。【００１５】
また、薬剤添加処方データの所定フォーマットは、動物の血液検査データを記録する項目を備え、動物病院で入力された血液検査結果データを送信し、受信した前記個別処方管理コンピュータに備えた血液検査情報診断手段により、ペット個別の状態或いは症状応じた栄養素及び或いは薬剤の処方を自動選択して前記データベースに記録することが好適である。
【発明の効果】
【００１６】
本発明によれば、下記に示す効果を奏する。【００１７】
ペットを飼育している利用者は、インターネットを介して各自の自宅のパソコン或いは携帯電話から個別処方制御コンピュータ装置へ自分のペットに適合した栄養素及び／又は薬剤を動物病院の処方箋に基づいて配合した飼料供給を申込み、その制御コンピュータ装置は自動的に受け付ける。【００１８】
また、前記処方箋は、前回個別処方制御コンピュータ装置の受付入力画面に利用者が入力した主治医のいる動物病院に対して、その制御コンピュータ装置が自動的に要請して配合に必要な処方箋を受信できる。【００１９】
また、利用者が特定の動物病院に通院していなければ、前記受付入力画面で動物病院を紹介し、その入力画面で利用者が選択した動物病院に制御コンピュータ装置は自動的に処方箋のデータ入力を依頼し、来院したペットの診察に基づいた処方箋を受信することができる。【００２０】
前記入力画面のフォーマットを一定とし、必要とする栄養素、薬剤データの項目名の選択も一定とし、その入力データを前記制御コンピュータ装置から配合装置へＬＡＮ回線を介して送り、自動的に指定・選択された栄養素・薬剤が調合された配合飼料を取得できる。【００２１】
また、動物病院に備えた虹彩撮影カメラシステムの出力データを入力して送信し、受信した前記個別処方管理コンピュータに備えた虹彩情報診断手段により処方箋データを自動生成すれば、動物病院の診断・処方の労力をさらに軽減することが出来る。【００２２】
また、動物病院で入力された血液検査結果データを送信し、受信した前記個別処方管理コンピュータに備えた血液検査情報診断手段により処方箋データを自動生成すれば、動物病院の診断・処方の労力をさらに軽減することが出来る。
【発明を実施するための最良の形態】
【００２３】
以下、本発明の個別配合ペット飼料供給システムの最良の形態について図に基づいて説明する。【００２４】
図１は、本発明の個別配合ペット飼料供給システムの構成図である。ここで、１はペット飼い主であるこのシステムの利用者のパソコン、２は利用者の携帯電話機である。この飼い主の端末機１、２はインターネット９を介して個別処方制御コンピュータ装置４に接続して配合飼料の供給を申込みすることができる。なお、９ａは携帯電話機の無線基地局を示す。【００２５】
また、３は、このシステムの利用者がペットのために通院している動物病院のコンピュータ或いは利用者に紹介できる動物病院のコンピュータを示す。【００２６】
次に、個別処方制御コンピュータ装置４の構成を以下に示す。４ａはＷｅｂサーバ、４ｂはアプリケーションサーバ、４ｃはデータベースサーバ、４ｄは保存データ入出力処理管理用端末機、４ｅは配合装置５とのインターフェース回路部でありＡ／Ｄ、Ｄ／Ａ変換器などを含む。【００２７】
少なくとも配合装置５への入力端子１０ｘ、１２０ｘ、１０ｎ、１００ｎ、１０ｂ、１００ｂへ接続され、直流電源の正、負によりモータを正転或いは逆転させる。【００２８】
その配合装置５の詳細図を図２及び図３に示す。図２は、配合装置５の構造の概要を示す斜視図、図３は配合装置５の構造を示し、（ａ）は平面図、（ｂ）はＸ−Ｘ断面図、（ｃ）はＹ−Ｙ断面図である。【００２９】
図２、図３において、１０は、各種市販されている粒状などに加工したペット用飼料、或いは特別に調製し粒状などに加工したペット用飼料などをそれぞれ分離収納する複数の収納部を有する各種飼料収納器を示す。ここでペット用飼料としては、例えば、粒状、チップ状（片状）、ロッド状、小塊状、粉末状など如何なる形状に加工したペット用飼料であっても適用可能であり、粒状に乾燥加工したものがより好適に使用できる。【００３０】
１ｘａ（１１ａ〜１４ａ）は４室の収納部を示す一実施例である。１ｘ（１１〜１４）は、各室の収納部に設けられスライドする仕切板を示す。尚、以降、括弧内の符号を代表して１ｘ、１ｘａなどのように省略して説明する。【００３１】
仕切板１ｘａの機能はそれぞれの収納部の底面から所定の高さの位置にスライドレールＬがあり電子制御スライドモータ１ｘｎの正転により仕切板１ｘａをスライドレールＬの方向に水平に押し進める。その結果収納部１ｘの底部にそれぞれ一定容積の空間が形成される。その分離された空間の底面に沿ってらせん羽根１ｘｃが回転し、その分離空間にある飼料を水平方向に移動させる。【００３２】
らせん羽根２０ａは飼料を電子制御移送用モータ１ｘｍの正転により水平方向へ移送し、その収納部１ｘの出口にある排出パイプ１０ｂ（１１ｂ〜１４ｂ）へ押出し、その収納部１ｘの出口にある排出パイプ１０ｂ（１１ｂ〜１４ｂ）へ飼料が押出される。【００３３】
なお、モータ１ｘｍは反転又は停止すれば押出しが停止する。また、らせん羽根とはその回転軸に所定のらせん曲面がついた状態を示す。多重のらせん曲面がついた構造でもよい。【００３４】
一方、モータ１ｘｎを反転させれば、仕切板１ｘａはスライドレールＬに沿って収納部１ｘから引き出される。【００３５】
この各種飼料収納器１０の各収納部１ｘの動作は以下のようになる。【００３６】
先ず、各収納部１ｘはそれぞれ仕切板１ｘａから引き出された状態でそれぞれ収納すべき飼料を予め充分に収納しておく。【００３７】
次に、それぞれの収納部１２を電子制御スライドモータ１ｘｎを正転させて仕切板１ｘａを閉めて前記飼料の下層にある部分を分離し、分離室１ｘｐを形成する。その分離室１ｘｐの飼料は前記所定の容積を有し、その容積の飼料の質量については予め測定し換算ファイルを作成しておく。前記重量を所定回数或いは所定食事数当たりとなるようにスライドレールの位置を定めておいてもよい。【００３８】
なお、スライドモータ１ｘｎは、図面に示すようにアプリケーションサーバ４ｂからインターフェース回路４ｅを介して正転符号を受信しスライドレールに沿って仕切板１ｘａが飼料中に押出されて分離されるが、停止用センサー１ｘｓにより仕切板１ｘａの先端が収納部１ｘの壁に接触したのを感知し、接触信号をインターフェース４ｅを介して返信されたアプリケーションサーバ４ｂは、スライドモータ１ｘｎの正転を停止して仕切板１ｘａを止める。【００３９】
ここで、電子制御移送用モータ１ｘｍを正転させれば、この分離室１ｘｐに収納されている所定重量の飼料はその外部へ排出パイプ１ｘｂを通って排出される。【００４０】
飼い主の要求する日数或いは回数に応じて前述の工程を繰返すようにアプリケーションサーバ４ｂで動作するプログラムを実行させる。【００４１】
なお、らせん羽根１ｘｃは、図中では各収納部１ｘの下層に仕切板１ｘａによって分離された分離室１ｘｐの中心部に配置されているが、具体的にはその分離室１ｘｐの底面が図４に示すようにらせん羽根１ｘｃの下部周辺を囲むように形成され、飼料がすべて残さずに外部に排出される構成とするのが望ましい。【００４２】
図２、図３には、さらに各種栄養素及び薬剤収納器１００と、その収納部１０ｘａ（１０１ａ〜１１７ａ）を示す。この実施例では収納部１０ｘａは１７個になっている。それぞれの収納部１０ｘａには予め準備できる粒状の栄養素及び薬剤をそれぞれ収納し、データベースのそれらの収納部のＩＤ番号を記録しておく。【００４３】
各収納部１０ｘａはそれぞれ前述した飼料収納器１０と同様に電子制御スライドモータ１０ｘｎ（１７個）によりスライドする仕切板１０ｘａ（１７個）を備え、また電子制御移送用モータ１０ｘｎにより回転するらせん羽根１０ｘｃ（１７個）を備えている。【００４４】
それら、らせん羽根１０ｘｃのある分離室１０ｘｐ（１７個）の詳細は図４に示している。なお、Ｌはスライドレールを示し、その位置は供給する重量に対応させ、必要に応じて変えられるようにしてもよい。【００４５】
以上の収納器１００は、前述した収納器１０と収納数の数と大きさが異なるだけで、それらの機構は同様なので、その動作に関する説明は省略する。【００４６】
次に、混合機構２０は、電子制御（制御コンピュータ４による制御）により飼料収納器１０から処方箋データに基づいて自動的に選択された指定飼料を、その投入口２０ｔから受入れる。【００４７】
一方、同時に移送機構１２０は、電子制御により栄養素及び薬剤収納器１００から処方箋データに基づいて自動的に選択された１又は複数の栄養素、薬剤をその投入口１２０ｔから受入れると共に、電子制御回転モータ１２０ｍによりらせん羽根１２０ａを回転して、前記混合機構２０側へ移送させる。【００４８】
その移送された栄養素、薬剤は排出口１２０ｚにより混合機構２０内に入る。【００４９】
ここで、先に投入口２０ｔから投入された飼料と混合される。すなわち、この混合機構２０の中心部には櫛羽根２０ａが回転自在に設けられ、電子制御回転モータ２０ｍにより飼料と栄養素及び／又は薬剤とが混合され、所定時間後に排出口２０ｚのコックを開き所定回数又は日数分の重量の配合飼料袋３０へ入れて密封する。【００５０】
次に、図１に戻り、個別配合ペット飼料供給システムの動作について説明する。【００５１】
ペット飼主であるこのシステムの利用者のパソコン１或いは携帯電話機２からインターネット９を介して個別処方制御コンピュータ装置４へ配合飼料の供給申込みがあったときは、個別処方制御コンピュータ装置４は、Ｗｅｂサーバ４ａを介し、アプリケーションサーバ４ｂ内にある飼料申込受付手段４ｇのプログラムがその供給申込みに対応する。【００５２】
飼料申込受付手段４ｇは、飼主の端末機１、２よりのインターネット９を経由して配合飼料の供給申込みを受付け、その端末機１、２に対して申込み入力画面を送信する手段である。【００５３】
詳しくは、受信したときは、会員データベース４Ｐを検索し、会員かどうかを調べ、会員でないときは、その会員名とＩＤ番号を少なくとも登録してから、前記申込入力画面を送信する。その申込画面は予めデータベース４Ｒに用意され、その申込画面フォーマットは、飼主氏名欄、会員ＩＤ番号記入欄、ペットに関する情報記入欄、飼主がペットのために通院している動物病院記入欄、通院している病院がなければ、個別処方制御コンピュータ装置４の運用企業側が紹介できる動物病院名一覧表の項目欄に選択するチェックマークを記入できる欄からなる。【００５４】
処方箋要請送信手段４ｈは、前記飼料申込受付手段４ｇにより送信された申込み入力画面にデータ入力された画面を受信し、利用者会員データベース４Ｐに記録すると共に、前記データ記入欄に通院している動物病院が記載されているときは、その動物病院のコンピュータ３へ飼料に配合したい栄養素及び／又は薬剤の添加処方データの所定フォーマットの処方箋入力画面を送信する。【００５５】
なお、動物病院の記載は、申込入力画面の記入欄中に契約している動物病院一覧表からチェックマークにより選択し、そのチェックマークのチェック印の位置からその動物病院を自動的にコンピュータにより認識させるようにしてもよい。【００５６】
飼主紹介／処方箋依頼送信手段４ｉは、前記申込画面にデータ入力された画面を受信し、そのデータ記入欄に通院している動物病院がないときは、動物病院を紹介する欄に選択したチェックマークの位置より利用者が指定した動物病院を自動的に認識し、その動物病院のコンピュータ３へ所定のフォーマットの処方箋入力画面を送信する。【００５７】
前記飼主紹介／処方箋依頼送信手段４ｉの所定のフォーマットの処方箋入力画面は、予めデータベース４ｃの各種入力画面データベース４Ｒに格納されているが、そのフォーマットを以下説明する。【００５８】
動物病院に要請或いは依頼する処方箋の入力画面フォーマットは、データベース４Ｒに用意され、個別処方制御コンピュータ装置４の運用企業側が動物病院側の処方箋に使用する飼料、栄養素、薬剤を調合できるように運用企業側が備えている飼料、栄養素、薬剤の中から選択させる項目欄を備え、その項目欄、飼い主の氏名、会員番号、ペットの情報などの各欄を備え、前記選択欄中にはチェックマーク入力位置を設け、そのチェックマーク位置により調合すべき指定の飼料、栄養素、薬剤を判別し、配合装置５へ、その処方データを送信するようにする。【００５９】
この実施例では、前述の通院している動物病院或いは紹介により利用者が選択した動物病院から前記所定フォーマット画面データ入力の処方箋画面を受信したときは、その処方箋の予め定めた位置の各項目欄の選択チェックマーク（チェック印）を読取り、飼料に配合すべき栄養素及び／又は薬剤の種類と量に関するデータをデータ値にしてデータベース４Ｐ、４Ｑに記録すると共に、そのデータ値をＬＡＮ回線を介し、Ａ／Ｄ、Ｄ／Ａ変換器を含むインターフェース回路４ｅを介して配合装置５へ送信し、自動的にそのデータ値に基づいて配合飼料を生成させる処方箋配合飼料データ送信手段４ｊを備える。【００６０】
また、個別処方制御コンピュータ装置４は、配合飼料完了通知手段４ｋを備え、配合装置５からの終了信号を検知して、次の処方データの配合動作を繰り返す。【００６１】
さらに、薬剤添加処方データの所定フォーマットは、動物の虹彩の状態と運動機能を撮影するカメラシステムの映像データを記録添付する項目を備える。そして動物病院から虹彩映像データの記録が添付されてきた場合は、データベースサーバ４ｃ内の各種診断データ処方データベース４Ｓを検索して、ペット個別の状態或いは症状応じた栄養素及び或いは薬剤の処方を自動選択して配合する飼料、栄養素、薬剤を自動的に指定する虹彩情報診断手段４ｌを備える。【００６２】
またさらに、薬剤添加処方データの所定フォーマットは、動物の血液検査データを記録する項目を備える。動物病院から血液検査結果データが添付されてきた場合は、前記個別処方管理コンピュータ４に備えた血液検査情報診断手段４ｍにより、データベースサーバ４ｃ内の各種診断データ処方データベース４Ｓを検索して、ペット個別の状態或いは症状応じた栄養素及び或いは薬剤の処方を自動選択して配合する飼料、栄養素、薬剤を自動的に指定する。
【産業上の利用可能性】
【００６３】
本発明の個別配合ペット飼料供給システムによれば、ペットを飼育している利用者は、インターネットを介して各自の自宅のパソコン或いは携帯電話から個別処方制御コンピュータ装置へ自分のペットに適合した栄養素及び／又は薬剤を動物病院の処方箋に基づいて配合した飼料供給を申込み、その制御コンピュータ装置は自動的に受け付けることができる。また、処方箋は、前回個別処方制御コンピュータ装置の受付入力画面に利用者が入力した主治医のいる動物病院に対して、その制御コンピュータ装置が自動的に要請して配合に必要な処方箋を受信できる。また、利用者が特定の動物病院に通院していなければ、受付入力画面で動物病院を紹介し、その入力画面で利用者が選択した動物病院に制御コンピュータ装置は自動的に処方箋のデータ入力を依頼し、来院したペットの診察に基づいた処方箋を受信することも可能である。そして、入力画面のフォーマットを一定とし、必要とする栄養素、薬剤データの項目名の選択も一定とし、その入力データを制御コンピュータ装置から配合装置へＬＡＮ回線を介して送り、自動的に指定・選択された栄養素・薬剤が調合された配合飼料を取得できる。また、動物病院に備えた虹彩撮影カメラシステムの出力データを入力して送信し、受信した個別処方管理コンピュータに備えた虹彩情報診断手段により処方箋データを自動生成すれば、動物病院の診断・処方の労力をさらに軽減することが出来る。さらには、動物病院で入力された血液検査結果データを送信し、受信した個別処方管理コンピュータに備えた血液検査情報診断手段により処方箋データを自動生成すれば、動物病院の診断・処方の労力をさらに軽減することが出来る。
【図１】
0004905682.tif 000002
【図２】
0004905682.tif 000003
【図３】
0004905682.tif 000004
【図４】
0004905682.tif 000005